(57)【要約】【課題】リモコン操作子からの制御信号を良好に受信できるのは勿論、堀こたつの外観の低下をも回避でき、且つ堀こたつの施工にも差し支えのないように、リモコンアンテナを配置した堀こたつを提供する。【解決手段】炉箱１の上端近傍部位に面状ヒータ６が配設されない非ヒータ部２３を設ける。非ヒータ部２３にリモコン操作子７が発信する電波からなる制御信号を受信するリモコンアンテナ８を収納する。リモコンアンテナ８を制御ユニット１９に接続する。【選択図】        図１
2004205083.tif 000002
【特許請求の範囲】
【請求項１】
床面開口に上方開口を有する矩形函状の炉箱を吊持し、この炉箱の側壁に均熱板を備えた面状ヒータを沿わせて配設すると共に面状ヒータの給電制御を行う制御ユニットを配設し、床面開口に亙って配設した枠框の上にやぐらの脚部を載置してなる堀こたつにおいて、炉箱の上端近傍部位に面状ヒータが配設されない非ヒータ部を設け、この非ヒータ部にリモコン操作子が発信する電波からなる制御信号を受信するリモコンアンテナを収納すると共に、このリモコンアンテナを制御ユニットに接続したことを特徴とする堀こたつ。
【請求項２】
床面開口に上方開口を有する矩形函状の炉箱を吊持し、この炉箱の側壁に均熱板を備えた面状ヒータを沿わせて配設すると共に面状ヒータの給電制御を行う制御ユニットを配設し、床面開口に亙って配設した枠框の上にやぐらの脚部を載置してなる堀こたつにおいて、枠框の内部部位に収納空所を設けてこの収納空所にリモコン操作子が発信する電波からなる制御信号を受信するリモコンアンテナを収納し、リモコンアンテナに接続した上接続端子を枠框の下面に臨ませて配置し、上接続端子の配設位置に対応する炉箱の上端部位に下接続端子を臨ませて配置し、対向する上接続端子と下接続端子とを接続すると共に、この下接続端子を制御ユニットに接続したことを特徴とする堀こたつ。
【請求項３】
床面開口に上方開口を有する矩形函状の炉箱を吊持し、この炉箱の側壁に均熱板を備えた面状ヒータを沿わせて配設すると共に面状ヒータの給電制御を行う制御ユニットを配設し、床面開口に亙って配設した枠框の上にやぐらの脚部を載置してなる堀こたつにおいて、やぐらの内部に収納空所を設けてこの収納空所にリモコン操作子が発信する電波からなる制御信号を受信するリモコンアンテナを収納し、リモコンアンテナに接続した上接続端子をやぐらの脚部下面に臨ませて配置し、上接続端子の配設位置に対応する枠框の上面部位に下接続端子を臨ませて配置し、対向する上接続端子と下接続端子とを接続すると共に、この下接続端子を制御ユニットに接続したことを特徴とする堀こたつ。
【発明の詳細な説明】
【０００１】
【発明の属する技術分野】
本発明は、堀こたつに関する発明である。
【０００２】
【従来の技術】
従来から、堀こたつは、図１０に示すように、床面開口（図示せず）に上方開口を有する矩形函状の炉箱１を吊持し、この炉箱１の側壁に面状ヒータ６を沿わせて配設すると共に面状ヒータ６の給電制御を行う制御ユニット１９を配設し、床面開口に亙って配設した枠框３の上にやぐら４の脚部４ｂを載置し、制御ユニット１９から延設した信号配信用コード４０の先端に操作子４１を接続して構成されており、使用者には床面に置かれた操作子４１の操作によって楽に面状ヒータ６の動作制御を行わせ得るようにされ、また、施工者には簡単な組立で堀こたつを形成できるようにされていた。
【０００３】
この堀こたつにあっては、信号配信用コード４０を接続した操作子４１にて操作を行わせるようにされているので、信号配信用コード４０の配線長によって操作可能範囲が限られてしまうものである。そこで、信号配信用コード４０の配線長を長く設定すると、信号配信用コード４０が長く床面に露出されることになり、今度は堀こたつの外観が低下してしまうこととなる。
【０００４】
ところで、堀こたつの他にこたつの種類としては、発熱体を備えたやぐら４の上に天板５を載置して構成されたやぐらこたつがある。このやぐらこたつは、通常、ヒータが備えられたやぐら４にこたつ布団を被せ、このこたつ布団の上に天板５を載せて使用される。そして、このやぐらこたつには、ワイヤレス操作の技術にかかる図１１や図１２に示すものがあった。図１１のものは、リモコン操作子７が発する制御信号に光や赤外線などの電磁波を用い、この制御信号を受信するリモコンアンテナ８を外方に露出された天板５に設け、ワイヤレス操作を可能にしたものである（たとえば、特許文献１参照）。また図１２のものは、天板５にリモコン操作子７を設けると共にやぐら４にリモコンアンテナ８を設け、このリモコン操作子７が発する制御信号に電波を用いることで、こたつ布団を介しても上記制御信号をリモコンアンテナ８で受信し、ワイヤレスの遠隔操作を可能としたものである（たとえば、特許文献２参照）。
【０００５】
【特許文献１】
実開平２−１３４４０２号公報
【特許文献２】
特開平１０−４７７７７号公報
【０００６】
【発明が解決しようとする課題】
しかして、図１０の堀こたつにも、操作可能範囲の拡大や信号配信用コード４０による外観の劣化防止を目的として、図１１や図１２のやぐらこたつにおけるワイヤレス操作に関する技術を適用することが考えられる。たとえば、上記堀こたつの操作子４１を、こたつ布団を貫通する電波を制御信号として発信するリモコン操作子７に替え、操作子４１の制御信号を受ける制御ユニット１９にリモコン操作子７の制御信号を受信するリモコンアンテナ８を設けることが考えられる。
【０００７】
しかしながら、堀こたつの炉箱１に備えるヒータには一般に面状ヒータ６が採用されており、この面状ヒータ６には、面状ヒータ６の全面での均等な発熱を期して、アルミニウムなどの金属プレートから成る均熱板（図示せず）が面状ヒータ６の略全面に亙って内装されており、そして、この金属プレートから成る均熱板６ｂは電波を遮断、反射させる性質を持っていることから、均熱板６ｂで囲まれた炉箱１の内部空間はリモコン操作子７の制御信号である電波が届きにくい場所となってしまう。しかして、上記堀こたつに上記図１１や図１２のやぐらこたつのワイヤレス操作に関する技術を単に転用させるだけでは、制御信号が届きにくい炉箱１内にリモコンアンテナ８を配設することになり、受信感度が悪く、ワイヤレス操作の良好な操作性を確保できないこととなる。
【０００８】
そこで、リモコンアンテナ８を制御ユニット１９と別の場所に別途設けることも考えられるが、リモコンアンテナ８の配置位置は、単にリモコン操作子７からの制御信号を良好に受信できる場所でよいものではなく、堀こたつの外観の低下の回避をも同時に満たし得る場所で、且つ堀こたつの施工に差し支えのない場所に設定しなければならないのである。
【０００９】
本発明は上記の点に鑑みてなされたものであり、リモコン操作子からの制御信号を良好に受信できるのは勿論、堀こたつの外観の低下をも回避でき、且つ堀こたつの施工にも差し支えのないように、リモコンアンテナを配置した堀こたつを提供することを課題とするものである。
【００１０】
【課題を解決するための手段】
上記課題を解決するために本発明の請求項１に係る堀こたつは、床面開口２に上方開口を有する矩形函状の炉箱１を吊持し、この炉箱１の側壁に均熱板６ｂを備えた面状ヒータ６を沿わせて配設すると共に面状ヒータ６の給電制御を行う制御ユニット１９を配設し、床面開口２に亙って配設した枠框３の上にやぐら４の脚部４ｂを載置してなる堀こたつにおいて、炉箱１の上端近傍部位に面状ヒータ６が配設されない非ヒータ部２３を設け、この非ヒータ部２３にリモコン操作子７が発信する電波からなる制御信号を受信するリモコンアンテナ８を収納すると共に、このリモコンアンテナ８を制御ユニット１９に接続したことを特徴とする。
【００１１】
これによると、面状ヒータ６の均熱板６ｂによる電波障害の影響の少ない炉箱１の上方開口部分にリモコンアンテナ８を配設できることから、リモコンアンテナ８の感度を良好にできて堀こたつの操作性の向上を図ることができ、また同時に、上記リモコンアンテナ８は床面から見えない炉箱１に仕舞われることから、堀こたつの外観向上をも図ることができ、更に、リモコンアンテナ８は制御ユニット１９と共に炉箱１に一体的に配設されることから、堀こたつの組立施工にあっても配線接続等の煩雑な施工作業を無くすることができて良好な施工性の維持をも図ることができる。
【００１２】
また、本発明の請求項２に係る堀こたつは、床面開口２に上方開口を有する矩形函状の炉箱１を吊持し、この炉箱１の側壁に均熱板６ｂを備えた面状ヒータ６を沿わせて配設すると共に面状ヒータ６の給電制御を行う制御ユニット１９を配設し、床面開口２に亙って配設した枠框３の上にやぐら４の脚部４ｂを載置してなる堀こたつにおいて、枠框３の内部部位に収納空所２４を設けてこの収納空所２４にリモコン操作子７が発信する電波からなる制御信号を受信するリモコンアンテナ８を収納し、リモコンアンテナ８に接続した上接続端子２６を枠框３の下面に臨ませて配置し、上接続端子２６の配設位置に対応する炉箱１の上端部位に下接続端子２７を臨ませて配置し、対向する上接続端子２６と下接続端子２７とを接続すると共に、この下接続端子２７を制御ユニット１９に接続したことを特徴とする。
【００１３】
これによると、面状ヒータ６の均熱板６ｂによる電波障害のない炉箱１外に配設される枠框３にリモコンアンテナ８を配設できることから、リモコンアンテナ８の感度を良好にできて堀こたつの操作性の向上を図ることができ、また同時に、上記リモコンアンテナ８は外から見えない枠框３の内部に仕舞われることから、堀こたつの外観向上をも図ることができ、更に、リモコンアンテナ８は制御ユニット１９が設けられた炉箱１とは別体の枠框３に配設されるが、対向配置される上下一対の接続端子２６，２７の接続によってこのリモコンアンテナ８と制御ユニット１９との接続が行われるから、堀こたつの組立施工における配線接続作業を容易にできて良好な施工性の維持をも図ることができる。
【００１４】
また、本発明の請求項３に係る堀こたつは、床面開口２に上方開口を有する矩形函状の炉箱１を吊持し、この炉箱１の側壁に均熱板６ｂを備えた面状ヒータ６を沿わせて配設すると共に面状ヒータ６の給電制御を行う制御ユニット１９を配設し、床面開口２に亙って配設した枠框３の上にやぐら４の脚部４ｂを載置してなる堀こたつにおいて、やぐら４の内部に収納空所２８を設けてこの収納空所２８にリモコン操作子７が発信する電波からなる制御信号を受信するリモコンアンテナ８を収納し、リモコンアンテナ８に接続した上接続端子２９をやぐら４の脚部４ｂ下面に臨ませて配置し、上接続端子２９の配設位置に対応する枠框３の上面部位に下接続端子３０を臨ませて配置し、対向する上接続端子２９と下接続端子３０とを接続すると共に、この下接続端子３０を制御ユニット１９に接続したことを特徴とする。
【００１５】
これによると、面状ヒータ６の均熱板６ｂによる電波障害のない炉箱１の上方部位にリモコンアンテナ８を配設できることから、リモコンアンテナ８の感度を良好にできて堀こたつの操作性の向上を図ることができ、また同時に、上記リモコンアンテナ８は床面から見えないやぐら４の内部に仕舞われることから、堀こたつの外観向上をも図ることができ、更に、リモコンアンテナ８は制御ユニット１９が設けられた炉箱１とは別体のやぐら４に配設されるが、対向配置される上下一対の接続端子２９，３０の接続によってこのリモコンアンテナ８と制御ユニット１９との接続が行われるから、堀こたつの組立施工における配線接続作業を容易にできて良好な施工性の維持をも図ることができる。
【００１６】
【発明の実施の形態】
堀こたつは、一般的に、上面開口を有した炉箱１を床面開口２に吊持し、この床面開口２に亙って枠框３を配設し、この枠框３の上にやぐら４の脚部４ｂを載置すると共にこのやぐら４の上に天板５を載置し、炉箱１の側壁、底壁、やぐら４の下面に適宜面状ヒータ６を配置して構成される。本発明は、このような一般的な堀こたつにおいて、面状ヒータ６の操作をワイヤレスの遠隔操作にて行わせる際、リモコン操作子７が発信する電波からなる制御信号を受信するリモコンアンテナ８の配置位置に工夫を凝らすことで、リモコンアンテナ８の良好な感度、堀こたつの良好な外観及び、堀こたつの良好な施工性のいずれをも確保できるようにしたことにある。以下、本発明を添付図面に示す実施形態に基づいて説明する。
【００１７】
図１及び図３に本発明の実施の形態の例を示す。この堀こたつは、上記一般的な堀こたつ同様の主体構造を有している。上方開口を有する矩形函状の炉箱１は、矩形状の底壁パネル１ａの四周の縁部にそれぞれ側壁パネル１ｂを立設して組み付けることで形成される。各壁パネル１ａ，１ｂは、図３に示すように、パネル枠９の両面に内面板１０と外面板１１とを貼着し、内面板１０と外面板１１との間の空所１２に外側から断熱材１３、面状ヒータ６を配設したフラッシュ構造に構成されている。面状ヒータ６は、通電させると発熱する発熱体６ａを外側に配置し、この発熱体６ａでの発熱を面状ヒータ６全体に伝熱させる均熱板６ｂを発熱体６ａの内側に配置し、発熱体６ａに比べて均熱板６ｂが炉箱１の内方に位置されるようにして構成されている。ここで、均熱板６ｂには一般的に熱伝導性の高い金属板、たとえばアルミ板が用いられる。
【００１８】
図２に示すように、床は、床下地１４上に根太１５を配設し、この根太１５の上に床材１６を敷設することで構成されている。床下地１４及び床材１６には上方に開口して上記炉箱１を配設するための床面開口２が形成されている。この床面開口２に炉箱１を配設するには、水平片１７ａの端部から垂直片１７ｂを垂下させてなるＬ字金具１７を複数用いて行う。つまり、床下地１４の開口縁に補強桟１８を配設し、この補強桟１８の上面にＬ字金具１７の水平片１７ａを載置して固定し、Ｌ字金具１７の垂直片１７ｂの内側面を炉箱１の側壁パネル１ｂの上端部分の外面に沿わせて固定することで、床面開口２に炉箱１が配設される。なお、このときには、炉箱１の上端は補強桟１８の上面と略同高さになるように設定される。また、床材１６の開口縁には化粧用の枠框３が配設される。この枠框３を配設するには、Ｌ字金具１７の水平片１７ａを挟むようにして補強桟１８の上面に載設させることで行われる。なお、このときには、この枠框３は補強桟１８や炉箱１の側壁パネル１ｂよりも床面開口２の内方に突出するようにされる。
【００１９】
やぐら４は、矩形状の天板載置部４ａの四隅の角部から脚部４ｂを垂下して形成された座卓である。天板載置部４ａの上には矩形板の天板５が載置される。天板載置部４ａと天板５との間にはやぐら４に被せるこたつ布団（図示せず）が適宜挟持される。このやぐら４は、上記枠框３の上面に各脚部４ｂを載置することで、床面開口２の上方に天板載置部４ａを位置させて配設される。すなわち、天板載置部４ａの下面は炉箱１の底壁パネル１ａの内面（上面）と対向するようにされている。この天板載置部４ａの下面には本例では面状ヒータ６が備えられている。
【００２０】
このように本例の堀こたつは、炉箱１の底壁、各側壁、やぐら４の天板載置部４ａの下面にそれぞれ面状ヒータ６が配設された６面ヒータ型の堀こたつである。なお、本例の堀こたつでは、炉箱１を構成する４面の側壁パネル１ｂのうち、１面の側壁パネル１ｂに、各面状ヒータ６の給電制御を行う制御ユニット１９が配設されている。つまり、この制御ユニット１９には、各面状ヒータ６の発熱体６ａから延設された給電線２０や、コンセントなどの家庭用給電部に接続される電源線２１が接続され、制御ユニット１９内で給電線２０と電源線２１とが接続されるようになっている。なお、図中２０ａは炉箱１に備えた面状ヒータ６に給電する給電線、図中２０ｂはやぐら４に備えた面状ヒータ６に給電する給電線である。詳述すると、この制御ユニット１９を有する側壁パネル１ｂは、全面に面状ヒータ６を敷設した他の側壁パネル１ｂとは異なり、面状ヒータ６が敷設されたヒータ部２２と面状ヒータ６が敷設されない非ヒータ部２３とを有して構成されている。詳しくは、この非ヒータ部２３は制御ユニット１９の配置部位から側壁パネル１ｂの上端縁に亙る範囲に設けられ、ヒータ部２２は上記非ヒータ部２３の範囲以外の部位に設けられている。
【００２１】
上述したように制御ユニット１９は面状ヒータ６の出力制御を行うものなので、従来技術の有線遠隔操作方式を採用した堀こたつでは、信号配信用コード４０を介して操作子４１と接続され、使用者の操作子４１の操作による制御信号を受けてこの制御信号に基いて面状ヒータ６の出力制御を行うようにしていたが、本例では、上記従来技術の有線遠隔操作方式に替え、ワイヤレス遠隔操作方式を採用している。ワイヤレス遠隔操作方式とは、無線電波からなる制御信号を送信するリモコン操作子７と、この制御信号を受信するリモコンアンテナ８とからなる通信ユニットを用いて、有線遠隔操作方式で信号配信用コード４０が行っていた制御信号の通信を行わせるものである。ここで、リモコンアンテナ８は針金状の金属線材で形成されたものを用いている。
【００２２】
つまり、本例の堀こたつは、リモコンアンテナ８を制御ユニット１９に接続してあり、リモコン操作子７から発せられる制御信号をリモコンアンテナ８で受信させると共に制御ユニット１９に伝達させることで、面状ヒータ６の出力制御が行われるようにされている。したがって、本例の堀こたつでは、リモコン操作子７を可搬型にできることから、従来の有線遠隔操作方式に比べて面状ヒータ６の出力操作の操作性が向上しているのである。また、従来の有線遠隔操作方式で必要とされた信号配信用コード４０を無くしているので、この信号配信用コード４０が床面に露出されることもなくて堀こたつの外観の向上が図られているのである。
【００２３】
なお、従来技術の項でも説明したが、堀こたつにワイヤレス遠隔操作方式を採用するにあたっては、リモコンアンテナ８の設置位置に工夫が必要とされる。つまり、リモコン操作子７が発信する制御信号の電波は面状ヒータ６の均熱板６ｂで遮断、反射される性質を有しているので、たとえばリモコンアンテナ８を単に制御ユニット１９に設けただけではリモコンアンテナ８は電波の届きにくい炉箱１内に位置してしまい、リモコンアンテナ８の感度の低下による操作性の悪化を招くこととなる。また、リモコンアンテナ８を炉箱１外の他の部位に設けるにあたっても、堀こたつの外観の低下や堀こたつの施工性の低下を回避することが求められる。しかして、本例のワイヤレス遠隔操作方式を採用した堀こたつでは、リモコンアンテナ８の良好な感度、堀こたつの良好な外観及び、堀こたつの良好な施工性のいずれをも確保できるように、リモコンアンテナ８の設置位置を下記のように設定している。
【００２４】
つまり、図３に示すように、制御ユニット１９を有した側壁パネル１ｂにおける、非ヒータ部２３に設定されている該側壁パネル１ｂの上端に亙る部位をリモコンアンテナ８の設置位置としている。非ヒータ部２３は面状ヒータ６が配設されない部位であるから、実質的にフラッシュ構造の側壁パネル１ｂの内面板１０と外面板１１との間に空所１２が残っている部位である。しかして、側壁パネル１ｂの上端に亙る部分で側壁パネル１ｂの内部に形成された空所１２を利用してリモコンアンテナ８は配設されているのである。そして、このリモコンアンテナ８は空所１２である非ヒータ部２３を通って制御ユニット１９に接続されている。
【００２５】
このように、本例の堀こたつのリモコンアンテナ８は、面状ヒータ６の均熱板６ｂによる電波障害の影響の少ない炉箱１の上方開口部分で、且つ、炉箱１の開口縁の一辺の長手方向に亙って配設されているから、リモコンアンテナ８の感度を良好にできると共にリモコンアンテナ８の受信範囲を大にでき、堀こたつの構成物を利用して堀こたつの良好な操作性が確保されているのである。また同時に、上記リモコンアンテナ８は床面から見えない炉箱１の壁内の空所１２に仕舞われていることから、堀こたつの良好な外観も確保されている。更に言うと、上記リモコンアンテナ８は制御ユニット１９と同じ側壁パネル１ｂに配設されることから、各壁パネル１ａ，１ｂを組んで炉箱１を組立する際にもリモコンアンテナ８と制御ユニット１９との信号線などの配線接続作業はなく、良好な施工性の維持も確保されているのである。
【００２６】
以下に列挙する本発明の実施の形態の他例の堀こたつは、先の実施の形態の例の堀こたつと主体構成は略同じのもので、リモコンアンテナ８の配設位置を違えているものである。しかして、先の実施の形態の例の堀こたつと同様部位には、同符号を付して説明を省略し、相違する部位につき説明していくものとする。
【００２７】
図４乃至図６に本発明の実施の形態の他例を示す。この例は、リモコンアンテナ８を枠框３の内部に穿孔した収納空所２４に配設した例である。この収納空所２４は、枠框３の内部に枠框３の長手方向に略亙るように形成した孔状空所である。詳しくは、この収納空所２４は、炉箱１の制御ユニット１９を有した側壁パネル１ｂの上端が当接する枠框３の下部部位に設けられ、図５に示すように、枠框３の下面から上方に且つ枠框３の長手方向に長く切り欠いた切欠溝２４ａを形成すると共に、この切欠溝２４ａの下方開口に蓋２４ｂをすることで形成されている。なお、図６に示すように、この収納空所２４には下方に開口した連通孔２５が形成され、この連通孔２５の下方開口には収納空所２４に配設したリモコンアンテナ８が接続される上接続端子２６が臨んで配設されている。
【００２８】
また、枠框３は炉箱１の側壁パネル１ｂ上に載置するかたちで配設されるのであり、上接続端子２６の配設位置の下方には炉箱１の側壁パネル１ｂのうち制御ユニット１９を有した側壁パネル１ｂが配設される。そして、上接続端子２６の配設位置に対応する該側壁パネル１ｂの上端部位には下接続端子２７が配設される。この下接続端子２７は信号線３２にて制御ユニット１９に接続されている。しかして、床面に炉箱１を配設した後、床面開口２の縁に枠框３を配設したとき、上下で対向する上接続端子２６と下接続端子２７とを接続することで、リモコンアンテナ８が制御ユニット１９に接続される。
【００２９】
上述したように本例では、枠框３内の収納空所２４にリモコンアンテナ８を配設したので、面状ヒータ６の均熱板６ｂによる電波障害のない炉箱１外の位置で、且つ枠框３の一辺の長手方向に亙ってリモコンアンテナ８を位置できることから、リモコンアンテナ８の感度を良好にできると共にリモコンアンテナ８の受信範囲を大にでき、堀こたつの構成物を利用して堀こたつの良好な操作性を確保することができる。また同時に、上記リモコンアンテナ８は外から見えない枠框３の内部に仕舞われることから、堀こたつの良好な外観も確保することができる。更に言うと、炉箱１と枠框３とは別体物で、堀こたつの施工時に組み付けられるのであり、そして、リモコンアンテナ８と制御ユニット１９とはこの別体の炉箱１と枠框３とに分かれて配置されているのであるが、堀こたつの組立時に対向配置される上下一対の接続端子２６，２７を接続させることによって、このリモコンアンテナ８と制御ユニット１９との接続を行わせることができ、堀こたつの組立施工における配線接続作業を容易にできて良好な施工性も確保されるようになっている。
【００３０】
また、図７乃至図９に本発明の実施の形態の更に他例を示す。この例は、リモコンアンテナ８をやぐら４の内部に穿孔した収納空所２８に配設した例である。この収納空所２８は、やぐら４の脚部４ｂの内部に上下に穿孔された縦孔と、この縦孔の上端に連通すると共に天面載置部４ａの側縁に沿うように天面載置部４ａの内部に穿孔された横孔とで構成された孔状空所である。なお図には脚部４ｂの中央部に穿孔した孔を収納空所２８としているが、先の図４乃至図６の収納空所２４と同様、脚部４ｂの表面に切欠溝を形成した後に蓋をして収納空所２８としてもよい。なお、収納空所２８を穿孔するやぐら４の脚部４ｂは、制御ユニット１９の近傍に位置するやぐら４の脚部４ｂがこれを構成する。そして、収納空所２８に収納したリモコンアンテナ８は、やぐら４の脚部４ｂの上下に亙ると共に天面載置部４ａの側縁に沿うように配設されている。なお、図ではリモコンアンテナ８は天面載置部４ａの側縁部分では適度な長さに配設されているが、天面載置部４ａの側縁の長さ方向に亙って配設されるようにしてもよい。
【００３１】
図８に示すように、収納空所２８はやぐら４の脚部４ｂの下面に開口しているが、このやぐら４の脚部４ｂの下面の開口には収納空所２８に配設したリモコンアンテナ８が接続される上接続端子２９が臨んで配設されている。また、やぐら４はその脚部４ｂを枠框３の上面に載設されるのであるが、上接続端子２９の配設位置に対応する枠框３の上面部位には下接続端子３０が配置されている。詳しくは、この下接続端子３０は、枠框３に形成された上下に貫通する貫通孔３１の上方開口に臨ませて配置されている。また、この貫通孔３１の下方開口の下方には炉箱１の側壁パネル１ｂのうち制御ユニット１９を有した側壁パネル１ｂが配設される。そして、制御ユニット１９から延設された信号線３２が貫通孔３１の下方開口から貫通孔３１内に挿入されて下接続端子３０に接続されている。しかして、床面開口２の縁に枠框３を配設した後、枠框３上にやぐら４を配設したとき、上下で対向する上接続端子２９と下接続端子３０とを接続することで、リモコンアンテナ８が制御ユニット１９に接続される。
【００３２】
上述したように本例では、やぐら４内の収納空所２８にリモコンアンテナ８を配設したので、リモコンアンテナ８を、面状ヒータ６の均熱板６ｂによる電波障害のない炉箱１外の位置で且つ、脚部４ｂの上下に亙ると共に天面載置部４ａの側縁部分にも沿わせて位置されることから、リモコンアンテナ８の感度を良好にできると共にリモコンアンテナ８の受信範囲を大にでき、堀こたつの構成物を利用して堀こたつの良好な操作性を確保することができる。また同時に、上記リモコンアンテナ８は外から見えないやぐら４の内部に仕舞われることから、堀こたつの良好な外観も確保することができる。更に言うと、枠框３及び炉箱１とやぐら４とは別体物で、堀こたつの施工時に組み立てられるものであり、そして、リモコンアンテナ８と制御ユニット１９とはこの別体のやぐら４と炉箱１とに分かれて配置されているのであるが、堀こたつの施工時に対向配置される上下一対の接続端子２９，３０を接続させることによって、このリモコンアンテナ８と制御ユニット１９との接続を行わせることができ、堀こたつの組立施工における配線接続作業を容易にできて良好な施工性も確保されるようになっている。
【００３３】
更に、図９に示すように、貫通孔３１の下方開口に第２の上接続端子３３を臨ませて配置し、貫通孔３１の上方開口に配置された下接続端子３０と上記第２の上接続端子３３とを第２の信号線３４にて接続し、制御ユニット１９から延設した信号線３２の先端に第２の下接続端子３５を装着して、この第２の下接続端子３５を上記第２の上接続端子３３に接続するようにして、リモコンアンテナ８と制御ユニット１９とを信号線３２、第２の信号線３４を介して接続させるようにしてもよい。これによると、堀こたつの施工時には、別体物であるやぐら４、枠框３、炉箱１を組み立てるのであるが、やぐら４と枠框３の間では上接続端子２９と下接続端子３０との接続、また枠框３と炉箱１との間では第２の上接続端子３３と第２の下接続端子３５との接続によって、容易にリモコンアンテナ８と制御ユニット１９との接続を行わせることができ、堀こたつの施工性の向上が図られて好ましいものである。
【００３４】
【発明の効果】
上記のように本発明の請求項１記載の発明にあっては、叙述したように、炉箱の上端近傍部位に面状ヒータが配設されない非ヒータ部を設け、この非ヒータ部にリモコン操作子が発信する電波からなる制御信号を受信するリモコンアンテナを収納すると共に、このリモコンアンテナを制御ユニットに接続したので、面状ヒータの均熱板による電波障害の影響の少ない炉箱の上方開口部分にリモコンアンテナを配設できることから、リモコンアンテナの感度を良好にできて堀こたつの操作性の向上を図ることができ、また同時に、上記リモコンアンテナは床面から見えない炉箱に仕舞われることから、堀こたつの外観向上をも図ることができ、更に、リモコンアンテナは制御ユニットと共に炉箱に一体的に配設されることから、堀こたつの組立施工にあっても配線接続等の煩雑な施工作業を無くすることができて良好な施工性の維持をも図ることができる。
【００３５】
また、本発明の請求項２記載の発明にあっては、叙述したように、枠框の内部部位に収納空所を設けてこの収納空所にリモコン操作子が発信する電波からなる制御信号を受信するリモコンアンテナを収納し、リモコンアンテナに接続した上接続端子を枠框の下面に臨ませて配置し、上接続端子の配設位置に対応する炉箱の上端部位に下接続端子を臨ませて配置し、対向する上接続端子と下接続端子とを接続すると共に、この下接続端子を制御ユニットに接続したので、面状ヒータの均熱板による電波障害のない炉箱外に配設される枠框にリモコンアンテナを配設できることから、リモコンアンテナの感度を良好にできて堀こたつの操作性の向上を図ることができ、また同時に、上記リモコンアンテナは外から見えない枠框の内部に仕舞われることから、堀こたつの外観向上をも図ることができ、更に、リモコンアンテナは制御ユニットが設けられた炉箱とは別体の枠框に配設されるが、対向配置される上下一対の接続端子の接続によってこのリモコンアンテナと制御ユニットとの接続が行われるから、堀こたつの組立施工における配線接続作業を容易にできて良好な施工性の維持をも図ることができる。
【００３６】
また、本発明の請求項３に係る堀こたつは、叙述したように、やぐらの内部に収納空所を設けてこの収納空所にリモコン操作子が発信する電波からなる制御信号を受信するリモコンアンテナを収納し、リモコンアンテナに接続した上接続端子をやぐらの脚部下面に臨ませて配置し、上接続端子の配設位置に対応する枠框の上面部位に下接続端子を臨ませて配置し、対向する上接続端子と下接続端子とを接続すると共に、この下接続端子を制御ユニットに接続したので、面状ヒータの均熱板による電波障害のない炉箱の上方部位にリモコンアンテナを配設できることから、リモコンアンテナの感度を良好にできて堀こたつの操作性の向上を図ることができ、また同時に、上記リモコンアンテナは床面から見えないやぐらの内部に仕舞われることから、堀こたつの外観向上をも図ることができ、更に、リモコンアンテナは制御ユニットが設けられた炉箱とは別体のやぐらに配設されるが、対向配置される上下一対の接続端子の接続によってこのリモコンアンテナと制御ユニットとの接続が行われるから、堀こたつの組立施工における配線接続作業を容易にできて良好な施工性の維持をも図ることができる。
【図面の簡単な説明】
【図１】本発明の実施の形態の例を示す全体斜視図である。
【図２】同上の側面断面図である。
【図３】同上の側壁パネルの概略縦断面図である。
【図４】本発明の実施の形態の他例を示す全体斜視図である。
【図５】同上の枠框の縦断面図である。
【図６】同上の要部の斜視図である。
【図７】本発明の実施の形態の更に他例を示す全体斜視図である。
【図８】同上の要部の斜視図である。
【図９】同上の他の例の要部の斜視図である。
【図１０】従来技術の例を示す全体斜視図である。
【図１１】従来技術の他例を示す全体斜視図である。
【図１２】従来技術の更に他例を示す分解斜視図である。
【符号の説明】
１  炉箱
２  床面開口
３  枠框
４  やぐら
５  天板
６  面状ヒータ
７  リモコン操作子
８  リモコンアンテナ
１２  空所
１９  制御ユニット
２３  非ヒータ部
２４  収納空所
２６  上接続端子
２７  下接続端子
２８  収納空所
２９  上接続端子
３０  下接続端子
【図１】
2004205083.tif 000003
【図２】
2004205083.tif 000004
【図３】
2004205083.tif 000005
【図４】
2004205083.tif 000006
【図５】
2004205083.tif 000007
【図６】
2004205083.tif 000008
【図７】
2004205083.tif 000009
【図８】
2004205083.tif 000010
【図９】
2004205083.tif 000011
【図１０】
2004205083.tif 000012
【図１１】
2004205083.tif 000013
【図１２】
2004205083.tif 000014